(57)【要約】【課題】  携帯型のテレビ視聴装置に於いて、コマーシャル終了後の番組の再開を確実に報知できるようにする。【解決手段】  筐体を振動させるためのバイブレータ５３と、テレビ信号を受信して映像及び音声を再生するテレビ機能とを備え、テレビ信号からコマーシャル区間を検出するＣＭ検出手段１０１と、ＣＭ区間が終了するとバイブレータ５３を駆動して報知するバイブレータ制御手段１０２と、を有する携帯型テレビ視聴装置。【選択図】      図１
2010252377.tif 000002
【特許請求の範囲】
【請求項１】
筺体を振動させる振動手段と、
テレビ信号を受信する受信手段と、
受信したテレビ信号に含まれる映像信号に基づく映像を表示する表示手段と、
表示している映像がコマーシャルである場合に、表示しているコマーシャルの終了を検出する検出手段と、
コマーシャルを表示している場合において、表示しているコマーシャルが終了したときは、前記振動手段により筺体を振動させる振動制御手段と、
を有することを特徴とする携帯型テレビ視聴装置。
【請求項２】
請求項１において、
移動電話機としての機能を更に備え、
前記振動手段は、移動電話機の着信報知用のバイブレータである、
ことを特徴とする携帯型テレビ視聴装置。
【請求項３】
請求項１又は請求項２に於いて、更に、
コマーシャルの表示が開始された場合に、コマーシャル区間開始初期の所定時間の映像データを一時的に記憶する一時記憶手段と、
非表示を指令する操作入力がコマーシャル区間中に検出されると前記一時記憶手段に記憶した映像を表示禁止映像として保存する禁止映像記憶手段と、
前記一時記憶手段に記憶した映像を前記禁止映像記憶手段が持つ各表示禁止映像と比較して、合致する表示禁止映像がある場合は当該コマーシャル区間の終了まで映像の表示を禁止する表示可否制御手段と、
を有することを特徴とする携帯型テレビ視聴装置。
【発明の詳細な説明】
【技術分野】
【０００１】
本発明は、テレビ視聴装置に関する。例えば、携帯型テレビ視聴装置や、移動電話機としての機能を兼ね備えた携帯型テレビ視聴装置に関する。
【背景技術】
【０００２】
携帯型テレビ受像機や、テレビ視聴機能を備えた携帯電話機が提供されている。
コマーシャル（ＣＭ）放送中は音量を下げ、コマーシャル放送が終了すると音量を元に戻す、アナログ放送用のテレビ受像機が知られている（特許文献１，参照）。
コマーシャル区間の録画及び／又は再生をスキップする、デジタル放送用の録画再生装置が知られている（特許文献２，参照）。
ＣＭ区間の検出方式としては、アナログ放送では、ステレオ放送／モノラル放送の制御信号及び副搬送波の状態によりＣＭ区間を検出する方式（特許文献３，参照）や、画面輝度の変化及びコマーシャル区間開始前に画面表示されるシンボルによりＣＭ区間を検出する方式（特許文献４，参照）等が知られている。また、デジタル放送では、トランスポートストリーム（ＴＳ）のヘッダ情報に基づいてＣＭ区間の開始位置と終了位置を検出する方式が知られている（特許文献２，５，参照）。
移動電話機に於いてバイブレータにより筐体を振動させて着信を報知するマナーモードは周知である（特許文献６〜８，参照）。
【先行技術文献】
【特許文献】
【０００３】
【特許文献１】特開２００３−０９２７１３号公報。
【特許文献２】特開平１１−１８５３１７号公報。
【特許文献３】特開平５−３１６４４０号公報。
【特許文献４】特開２００３−２１９３０７号公報。
【特許文献５】特開２００２−３７４４９５号公報。
【特許文献６】特公平８−３３１２１２号公報。
【特許文献７】特開平１１−０９８２２５号公報。
【特許文献８】特開２００３−２６４６１１号公報。
【発明の概要】
【発明が解決しようとする課題】
【０００４】
携帯型のテレビ受像機は近接した位置で視聴されることが多いため、その音量も、一般に、据え置き型の装置よりも小さい。このため、コマーシャル放送中にポケット等に入れてしまうと、コマーシャル放送が終了して番組が再開されたことがわかり難く、結果、番組を見逃してしまう場合がある。
本発明は、携帯型のテレビ視聴装置に於いて、コマーシャル終了後の番組の再開を確実に報知できるようにすることを第１の目的とする。
【０００５】
コマーシャル区間を検出して音声及び／又は映像を消すように制御すると、視聴者が見たいと思うコマーシャルの場合でも視聴できなくなる。一方、この制御を無効に設定すると、視聴者が見たくないと思うコマーシャルまでもが再生されてしまい、結果、無駄な電力消費や表示装置の短寿命化が将来される。
本発明は、視聴者が見たくないと思うコマーシャルのみに関し、その音声及び／又は映像を消すことができるようにすることを第２の目的とする。
【課題を解決するための手段】
【０００６】
本発明の第１の目的は、下記［１］〜［３］の何れか構成により達成される。
［１］構成１：
筐体を振動させるためのバイブレータと、テレビ信号を受信して映像及び音声を再生するテレビ機能と、を備えた携帯型テレビ視聴装置に於いて、
テレビ信号からコマーシャル区間を検出するＣＭ検出手段と、
ＣＭ区間が終了すると前記バイブレータを駆動する振動制御手段と、
を有することを特徴とする携帯型テレビ視聴装置。
ＣＭ区間の検出方式としては、前述の特許文献１〜５等に記載の公知の方式を、アナログ放送であるかデジタル放送であるかに応じて、適宜に用いることができる。
バイブレータとしては、前述の特許文献６〜８等に記載の公知のバイブレータを、適宜に用いることができる。
［２］構成２：
構成１に於いて、
移動電話機としての機能を更に備え、
前記バイブレータは移動電話機の着信報知用のバイブレータである、
ことを特徴とする携帯型テレビ視聴装置。
【０００７】
［３］構成３：
構成１又は構成２に於いて、さらに、
ＣＭ区間開始初期の所定時間の映像を一時的に記憶する一時記憶手段と、
非再生を指令する操作入力がＣＭ区間中に検出されると前記一時記憶手段に記憶した映像を再生禁止映像として保存する禁止映像記憶手段と、
前記一時記憶手段に記憶した映像を前記禁止映像記憶手段が持つ各再生禁止映像と比較して、合致する再生禁止映像が有る場合は当該ＣＭ区間の終了まで映像及び／又は音声の再生を禁止する再生可否制御手段と、
を有することを特徴とする携帯型テレビ視聴装置。
ＣＭ区間開始初期の所定時間とは、例えば、数秒程度の時間である。
ＣＭ区間開始初期の所定時間の映像に代えて、音声を用いてもよい。また、デジタル放送であってＣＭの内容を一意に確定するデータがヘッダに含まれるような場合は、当該データを用いるようにしてもよい。
非再生を指令する操作入力とは、例えば、「禁止ＣＭボタン」のようなキーの押下操作である。
【０００８】
本発明の第２の構成は、上記［３］又は下記［４］の構成により達成される。
［４］構成４：
テレビ信号を受信して映像及び音声を再生するテレビ視聴装置に於いて、
テレビ信号からコマーシャル区間を検出するＣＭ検出手段と、
ＣＭ区間開始初期の所定時間の映像を一時的に記憶する一時記憶手段と、
非再生を指令する操作入力がＣＭ区間中に検出されると前記一時記憶手段に記憶した映像を再生禁止映像として保存する禁止映像記憶手段と、
前記一時記憶手段に記憶した映像を前記禁止映像記憶手段が持つ各再生禁止映像と比較して、合致する再生禁止映像が有る場合は、当該ＣＭ区間の終了まで映像及び／又は音声の再生を禁止する再生可否制御手段と、
を有することを特徴とするテレビ視聴装置。
【発明の効果】
【０００９】
構成１の装置は、テレビ信号からコマーシャル区間を検出する手段と、ＣＭ区間が終了するとバイブレータを駆動する手段とを有する携帯型テレビ視聴装置であるため、コマーシャル終了後の番組の再開をユーザに確実に報知することができる。
構成２の装置は、構成１の装置に於いて、移動電話機としての機能を備え、前記バイブレータとして移動電話機の着信報知用のバイブレータを兼用しているため、部品点数を増大させることなく、上記の効果を奏することができる。
構成３の装置は、構成１又は構成２の装置に於いて、ＣＭ区間開始初期の所定時間の映像を一時的に記憶する手段と、非再生を指令する操作入力がＣＭ区間中に検出されると前記一時記憶した映像を再生禁止映像として保存する手段と、前記一時記憶した映像を前記各再生禁止映像と比較して合致する再生禁止映像が有る場合は当該ＣＭ区間の終了まで映像及び／又は音声の再生を禁止する手段とを有するため、構成１や構成２の装置が奏する効果に加えて、視聴者が見たくないと思うコマーシャルのみの音声及び／又は映像を消すことができるという効果を奏する。
構成４の装置は、ＣＭ区間開始初期の所定時間の映像を一時的に記憶する手段と、非再生を指令する操作入力がＣＭ区間中に検出されると前記一時記憶した映像を再生禁止映像として保存する手段と、前記一時記憶した映像を前記各再生禁止映像と比較して合致する再生禁止映像が有る場合は当該ＣＭ区間の終了まで映像及び／又は音声の再生を禁止する手段とを有するテレビ視聴装置であるため、視聴者が見たくないと思うコマーシャルのみの音声及び／又は映像を消すことができる。
【図面の簡単な説明】
【００１０】
【図１】テレビ機能付き携帯電話機の具体的構成例を示すブロック図。
【図２】図１の携帯電話機に於いてＣＭ終了をバイブレータで報知する手順の一例を示すフローチャート。
【図３】図１の携帯電話機に於いてＣＭの初期映像に基づいて再生を禁止／許容する手順の一例を示すフローチャート。
【発明を実施するための形態】
【００１１】
以下、図面を参照して本発明を具体的に説明する。
図１はデジタル放送を受信して映像や音声を再生するテレビ機能を備えた携帯電話機として本発明を具体化した装置を例示するブロック図である。
【００１２】
携帯電話機：
携帯電話機としての機能は、アンテナ５９、電話用送受信回路２１、チャネルコーデック２２、音声コーデック２３、マイク５１、スピーカ５２、バイブレータ５３、入力装置５４、表示装置５５、及び、制御装置１０が受け持つ。
【００１３】
アンテナで受信された電話電波は、電話用送受信回路２１にて復調され、チャネルコーデック２２にて分解されて必要なチャネルの音声信号が取り出され、音声コーデック２３にてアナログ信号に変換され、スピーカ５２から音声として出力される。
マイク５１から入力された音声は、音声コーデック２３にてデジタル化され、制御装置１０からの制御信号とともにチャネルコーデック２２にてＴＤＭＡ（又はＣＤＭＡ）信号へ変換され、電話用送受信回路２１にて変調されて、アンテナ５９から送出される。
【００１４】
着信が検出されると、制御装置１０は報知音をスピーカ５２から出力し（通常モードの場合）、又は、バイブレータ５３を振動させる（マナーモードの場合）。
入力装置５４は、呼出相手先の電話番号の入力や、モードの設定、メールの入力等、携帯電話機として必要な種々の入力に用いられる。
表示装置５５は、着信／呼出相手先の電話番号の表示や、モードの表示、メールの表示等、携帯電話機として必要な種々の表示に用いられる。
【００１５】
テレビ視聴装置：
テレビ視聴装置としての機能は、アンテナ５９、テレビ用受信回路３１、デスクランブラ３２、デマルチプレクサ３３、デコーダ（例：ＭＰＥＧデコーダ）３４、音声処理回路３５、スピーカ５２、映像処理回路３６、表示装置５５、入力装置５４、バイブレータ５３、及び制御装置１０が受け持つ。
【００１６】
アンテナで受信されたテレビ電波は、テレビ用受信回路３１にて選局・復調・誤り訂正され、デスクランブラ３２にてスクランブルを解除されてトランスポートストリーム（ＴＳ）が取り出される。このトランスポートストリーム（ＴＳ）からデマルチプレクサ３３にて必要な番組のパケットが取り出され、更にサービスインフォメーション（ＳＩ）が取得され、クロックが再生される。取り出されたパケットは、デコーダ３４にて音声データと映像データに復号され、それぞれ、音声処理回路３５によりアナログの音声信号に変換されてスピーカ５２から音声として出力され、映像処理回路３６により表示装置５５に適合する走査フォーマットのアナログのビデオ信号に変換されて表示装置５５から映像として出力される。
【００１７】
ＣＭ終了時の報知：
図２は図１の携帯電話機に於いてＣＭ終了をバイブレータで報知する手順の一例を示すフローチャートである。
デマルチプレクサ３３は、トランスポートストリーム（ＴＳ）から当該番組のパケットを取り出し（Ｓ０１）、ヘッダ情報を解析するとともに、当該ヘッダ情報内のＰＳＩ（Program Specific Information）を解析して、コマーシャル（ＣＭ）開始・終了位置情報の有無を調べる（Ｓ１１）。
【００１８】
当該パケットにＣＭ終了位置情報が無い場合は（Ｓ１３でＮＯ）、ＴＳのヘッダ情報に基づいて、当該パケットからヘッダ情報を除いた残り部分をデータの種別（音声データ／映像データ／付加データ）毎にＰＥＳ（Packetized Elementary Stream）と呼ばれるデータ形式に変換して、制御装置１０へ渡す（Ｓ１９）。このＰＥＳのヘッダ情報には、ＰＴＳ（Presentation Time Stamp）と呼ばれるタイムスタンプが含まれており、各データの 再生時刻制御に用いられる。
その後、ステップＳ０１へ戻り、上記の処理を繰り返す。
【００１９】
一方、当該パケットにＣＭ終了位置情報が有る場合は（Ｓ１３でＹＥＳ）、当該終了位置を記憶し（Ｓ１５）、ＣＭ終了待ちフラグをオンし（Ｓ１７）、上記ステップＳ１９の処理を実行した後、ステップＳ０１へ戻り、上記の処理を繰り返す。
【００２０】
制御装置１０は、デマルチプレクサ３３から受け取ったＰＥＳ形式のデータ（音声データ／映像データ／付加データ）のヘッダ情報中のタイムスタンプを実時刻と比較し（Ｓ３１）、当該データ（音声データ／映像データ／付加データ）の再生時刻を過ぎるタイミングで（Ｓ３３でＹＥＳ）、当該データ（音声データ／映像データ／付加データ）をデコーダ３４へ渡す（Ｓ３５）。これにより、当該データに基づく再生音声／再生映像／再生付加情報が、スピーカ５２／表示装置５５から同期して出力される。
【００２１】
ステップＳ３７では、ＣＭ終了待ちフラグを参照する（Ｓ１７参照）。
その結果、ＣＭ終了待ちフラグがオフの場合は（Ｓ３９でＮＯ）、ステップＳ３１へ戻り、上記の処理を繰り返す。即ち、データ（音声データ／映像データ／付加データ）の同期出力を継続する。
【００２２】
ＣＭ終了待ちフラグがオンの場合は（Ｓ３９でＹＥＳ）、デマルチプレクサ３３がステップＳ１５で記憶したＣＭ終了位置と、制御装置１０がステップＳ３５でデコーダ３４へ渡したデータ（音声データ／映像データ／付加データ）の位置とを比較し（Ｓ４１）、デコーダ３４へ渡したデータ（音声データ／映像データ／付加データ）の位置がＣＭ終了位置に達するまで（Ｓ４３でＮＯ）、上記の処理を繰り返す。その後、デコーダ３４へ渡したデータ（音声データ／映像データ／付加データ）の位置がＣＭ終了位置に達すると（Ｓ４３でＹＥＳ）、バイブレータ５３を駆動する（Ｓ４５）。これにより、ＣＭの終了がユーザに報知される。さらに、ステップＳ４７でＣＭ終了待ちフラグをオフして、ステップＳ３１へ戻り、上記の処理を繰り返す。
このようにして、ＣＭの終了がユーザに報知される。なお、図１内に示すＣＭ位置検出機能１０１はステップＳ０１〜Ｓ１５及びＳ４１〜Ｓ４３により実現され、バイブレータ制御機能１０２はステップＳ４５により実現される。
また、上記はデジタル放送の場合の例であるが、アナログ放送の場合も、ＣＭ区間の検出方式をアナログ放送に適した方式に変えることで、同様に処理可能である。
【００２３】
ユーザ指定のＣＭの再生禁止：
図３は図１の携帯電話機に於いてＣＭの初期映像に基づいて再生を禁止／許容する手順の一例を示すフローチャートである。
制御装置１０は、常時、デコーダ３４により復号される映像データを監視している（Ｓ６１）。
【００２４】
ＣＭ映像が開始されると（Ｓ６３でＹＥＳ）、当該開始時刻から所定時間（例：数秒程度）分の映像データを、所定のメモリエリア（一時記憶エリア）に一時的に記憶する（Ｓ６５）。なお、ＣＭ映像の開始は、例えば、図２のステップＳ４１と略同様の手法により知ることができる。即ち、ＰＳＩの解析により取得したＣＭ開始位置をデマルチプレクサ３３が一時的に記憶しておき、これを、制御装置１０がデコーダ３４へ渡したデータ（音声データ／映像データ／付加データ）の位置と比較することで、知ることができる。
【００２５】
次に、一時記憶エリアの映像データを、不揮発性メモリの所定のエリア（再生禁止映像記憶エリア）に格納されている各映像データと比較する（Ｓ６７）。再生禁止映像記憶エリアには、ユーザにより再生禁止として指定済みの各ＣＭの開始初期所定時間分の映像データが格納されている（Ｓ８７参照）。
【００２６】
ステップＳ６７での比較の結果、今回のＣＭ映像と合致する既記録の再生禁止映像が有る場合は（Ｓ６９でＹＥＳ）、今回のＣＭ映像と音声の再生を禁止し（Ｓ７１）、再生禁止中フラグをオンして（Ｓ７３）、ステップＳ７５へ進む。
また、ステップＳ６７での比較の結果、今回のＣＭ映像と合致する既記録の再生禁止映像が無い場合は（Ｓ６９でＮＯ）、直ちに、ステップＳ７５へ進む。
【００２７】
ステップＳ７５では、ＣＭ映像の終了をチェックする。
ＣＭ映像が終了したとき（Ｓ７５でＹＥＳ）、再生禁止中フラグがオンの場合は（Ｓ７７でＹＥＳ）、前記ステップＳ７１で禁止した映像・音声・付加情報の再生を許可し（Ｓ７９）、再生禁止中フラグをオフして（Ｓ８１）、ステップＳ８３へ進む。
ＣＭ映像が終了したとき（Ｓ７５でＹＥＳ）、再生禁止中フラグがオフの場合は（Ｓ７７でＮＯ）、直ちに、ステップＳ８３へ進む。
【００２８】
ステップＳ８３では、当該終了したＣＭ区間に於いてＣＭ排除ボタンの押下操作（非再生を指示する操作入力）が検出されたか否かチェックし、検出された場合は（Ｓ８３でＹＥＳ）、前記ステップＳ６５で一時記憶エリアに記憶した今回のＣＭ映像の開始初期所定時間分の映像データを不揮発性メモリの所定の再生禁止映像記憶エリアに保存して、一時記憶エリアから削除する（Ｓ８７）。これにより、当該ＣＭが、次回以降のＣＭに於いて再生禁止ＣＭ映像の一つとして比較に供される（Ｓ６７参照）。
ＣＭ排除ボタンの押下が検出されなかった場合は（Ｓ８３でＮＯ）、前記ステップＳ６５で一時記憶した今回のＣＭ映像データを該一時記憶エリアから削除する（Ｓ８５）。
このようにして、ユーザがその好みにより排除したＣＭの再生が禁止される。なお、図１内に示すＣＭ禁止映像記憶機能１０５はステップＳ６３〜Ｓ６５及びＳ８３・Ｓ８７により、ＣＭ初期映像比較機能１０６はステップＳＳ６３〜Ｓ６９により、音声映像禁止機能１０７はステップＳ６９〜Ｓ７１により、それぞれ実現される。
また、上記は、ＣＭ開始初期の映像データの比較に基づく例であるが、音声データや付加データに基づいて同様に処理してもよい。また、ＰＥＳのヘッダ情報中等にＣＭの内容を一意に確定し得るデータが含まれているような場合は、当該データを利用してユーザ指定のＣＭを禁止するように制御してもよい。
【符号の説明】
【００２９】
１０  制御装置
２１  電話機用受信回路
２２  チャネルコーデック
２３  音声コーデック
３１  テレビ用受信回路
３２  デスクランブラ
３３  デマルチプレクサ
３４  デコーダ
５１  マイク
５２  スピーカ
５３  バイブレータ
５４  入力装置
５５  表示装置
【図１】
2010252377.tif 000003
【図２】
2010252377.tif 000004
【図３】
2010252377.tif 000005
【手続補正書】
【提出日】平成22年7月15日(2010.7.15)
【手続補正１】
【補正対象書類名】特許請求の範囲
【補正対象項目名】全文
【補正方法】変更
【補正の内容】
【特許請求の範囲】
【請求項１】
筺体を振動させる振動手段と、
テレビ信号を受信する受信手段と、
受信したテレビ信号に含まれる映像信号に基づく映像を表示する表示手段と、
表示している映像がコマーシャルである場合に、表示しているコマーシャルの終了を検出する検出手段と、
前記検出手段にてコマーシャルの終了が検出された場合は、表示しているコマーシャルが終了したときに前記振動手段を振動させ、前記検出手段にてコマーシャルの終了が検出されなかった場合は、表示しているコマーシャルが終了しても前記振動手段を振動させない振動制御手段と、
を有することを特徴とする携帯型テレビ視聴装置。
【請求項２】
請求項１において、
移動電話機としての機能を更に備え、
前記振動手段は、移動電話機の着信報知用のバイブレータである、
ことを特徴とする携帯型テレビ視聴装置。
【請求項３】
請求項１又は請求項２に於いて、更に、
コマーシャルの表示が開始された場合に、コマーシャル区間開始初期の所定時間の映像データを一時的に記憶する一時記憶手段と、
非表示を指令する操作入力がコマーシャル区間中に検出されると前記一時記憶手段に記憶した映像を表示禁止映像として保存する禁止映像記憶手段と、
前記一時記憶手段に記憶した映像を前記禁止映像記憶手段が持つ各表示禁止映像と比較して、合致する表示禁止映像がある場合は当該コマーシャル区間の終了まで映像の表示を禁止する表示可否制御手段と、
を有することを特徴とする携帯型テレビ視聴装置。
【手続補正２】
【補正対象書類名】明細書
【補正対象項目名】全文
【補正方法】変更
【補正の内容】
【発明の詳細な説明】
【技術分野】
【０００１】
本発明は、例えば、携帯型テレビ視聴装置や、移動電話機としての機能を兼ね備えた携帯型テレビ視聴装置に関する。
【背景技術】
【０００２】
携帯型テレビ受像機や、テレビ視聴機能を備えた携帯電話機が提供されている。
コマーシャル（ＣＭ）放送中は音量を下げ、コマーシャル放送が終了すると音量を元に戻す、アナログ放送用のテレビ受像機が知られている（特許文献１，参照）。
コマーシャル区間の録画及び／又は再生をスキップする、デジタル放送用の録画再生装置が知られている（特許文献２，参照）。
ＣＭ区間の検出方式としては、アナログ放送では、ステレオ放送／モノラル放送の制御信号及び副搬送波の状態によりＣＭ区間を検出する方式（特許文献３，参照）や、画面輝度の変化及びコマーシャル区間開始前に画面表示されるシンボルによりＣＭ区間を検出する方式（特許文献４，参照）等が知られている。また、デジタル放送では、トランスポートストリーム（ＴＳ）のヘッダ情報に基づいてＣＭ区間の開始位置と終了位置を検出する方式が知られている（特許文献２，５，参照）。
移動電話機に於いてバイブレータにより筐体を振動させて着信を報知するマナーモードは周知である（特許文献６〜８，参照）。
【先行技術文献】
【特許文献】
【０００３】
【特許文献１】特開２００３−０９２７１３号公報。
【特許文献２】特開平１１−１８５３１７号公報。
【特許文献３】特開平５−３１６４４０号公報。
【特許文献４】特開２００３−２１９３０７号公報。
【特許文献５】特開２００２−３７４４９５号公報。
【特許文献６】特公平８−３３１２１２号公報。
【特許文献７】特開平１１−０９８２２５号公報。
【特許文献８】特開２００３−２６４６１１号公報。
【発明の概要】
【発明が解決しようとする課題】
【０００４】
携帯型のテレビ受像機は近接した位置で視聴されることが多いため、その音量も、一般に、据え置き型の装置よりも小さい。このため、コマーシャル放送中にポケット等に入れてしまうと、コマーシャル放送が終了して番組が再開されたことがわかり難く、結果、番組を見逃してしまう場合がある。
本発明は、携帯型のテレビ視聴装置に於いて、コマーシャル終了後の番組の再開を確実に報知できるようにすることを第１の目的とする。
【０００５】
コマーシャル区間を検出して音声及び／又は映像を消すように制御すると、視聴者が見たいと思うコマーシャルの場合でも視聴できなくなる。一方、この制御を無効に設定すると、視聴者が見たくないと思うコマーシャルまでもが再生されてしまい、結果、無駄な電力消費や表示装置の短寿命化が将来される。
本発明は、視聴者が見たくないと思うコマーシャルのみに関し、その音声及び／又は映像を消すことができるようにすることを第２の目的とする。
【課題を解決するための手段】
【０００６】
本発明の目的は、下記［１］〜［３］の何れか構成により達成される。
［１］構成１：
筺体を振動させる振動手段と、
テレビ信号を受信する受信手段と、
受信したテレビ信号に含まれる映像信号に基づく映像を表示する表示手段と、
表示している映像がコマーシャルである場合に、表示しているコマーシャルの終了を検出する検出手段と、
前記検出手段にてコマーシャルの終了が検出された場合は、表示しているコマーシャルが終了したときに前記振動手段を振動させ、前記検出手段にてコマーシャルの終了が検出されなかった場合は、表示しているコマーシャルが終了しても前記振動手段を振動させない振動制御手段と、
を有することを特徴とする携帯型テレビ視聴装置。
コマーシャルの終了を検出する方式としては、前述の特許文献１〜５等に記載の公知の方式を、アナログ放送であるかデジタル放送であるかに応じて、適宜に用いることができる。
【０００７】
［２］構成２：
構成１に於いて、
移動電話機としての機能を更に備え、
前記バイブレータは移動電話機の着信報知用のバイブレータである、
ことを特徴とする携帯型テレビ視聴装置。
バイブレータとしては、前述の特許文献６〜８等に記載の公知のバイブレータを、適宜に用いることができる。
【０００８】
［３］構成３：
請求項１又は請求項２に於いて、更に、
コマーシャルの表示が開始された場合に、コマーシャル区間開始初期の所定時間の映像データを一時的に記憶する一時記憶手段と、
非表示を指令する操作入力がコマーシャル区間中に検出されると前記一時記憶手段に記憶した映像を表示禁止映像として保存する禁止映像記憶手段と、
前記一時記憶手段に記憶した映像を前記禁止映像記憶手段が持つ各表示禁止映像と比較して、合致する表示禁止映像がある場合は当該コマーシャル区間の終了まで映像の表示を禁止する表示可否制御手段と、
を有することを特徴とする携帯型テレビ視聴装置。
コマーシャル区間開始初期の所定時間とは、例えば、数秒程度の時間である。
コマーシャル区間開始初期の所定時間の映像に代えて、音声を用いてもよい。また、デジタル放送であってＣＭの内容を一意に確定するデータがヘッダに含まれるような場合は、当該データを用いるようにしてもよい。
非表示を指令する操作入力とは、例えば、「禁止ＣＭボタン」のようなキーの押下操作である。
【発明の効果】
【０００９】
構成１の装置は、筺体を振動させる振動手段と、テレビ信号を受信する受信手段と、受信したテレビ信号に含まれる映像信号に基づく映像を表示する表示手段と、表示している映像がコマーシャルである場合に、表示しているコマーシャルの終了を検出する検出手段と、前記検出手段にてコマーシャルの終了が検出された場合は、表示しているコマーシャルが終了したときに前記振動手段を振動させ、前記検出手段にてコマーシャルの終了が検出されなかった場合は、表示しているコマーシャルが終了しても前記振動手段を振動させない振動制御手段とを有する携帯型テレビ視聴装置であるため、コマーシャル終了後の番組の再開をユーザに確実に報知することができる。
構成２の装置は、構成１の装置に於いて、移動電話機としての機能を備え、前記振動手段として移動電話機の着信報知用のバイブレータを兼用しているため、部品点数を増大させることなく、上記の効果を奏することができる。
構成３の装置は、構成１又は構成２の装置に於いて、さらに、コマーシャルの表示が開始された場合に、コマーシャル区間開始初期の所定時間の映像データを一時的に記憶する一時記憶手段と、非表示を指令する操作入力がコマーシャル区間中に検出されると前記一時記憶手段に記憶した映像を表示禁止映像として保存する禁止映像記憶手段と、前記一時記憶手段に記憶した映像を前記禁止映像記憶手段が持つ各表示禁止映像と比較して、合致する表示禁止映像がある場合は当該コマーシャル区間の終了まで映像の表示を禁止する表示可否制御手段とを有するため、構成１や構成２の装置が奏する効果に加えて、視聴者が見たくないと思うコマーシャルのみの音声及び／又は映像を消すことができるという効果を奏する。
【図面の簡単な説明】
【００１０】
【図１】テレビ機能付き携帯電話機の具体的構成例を示すブロック図。
【図２】図１の携帯電話機に於いてＣＭ終了をバイブレータで報知する手順の一例を示すフローチャート。
【図３】図１の携帯電話機に於いてＣＭの初期映像に基づいて再生を禁止／許容する手順の一例を示すフローチャート。
【発明を実施するための形態】
【００１１】
以下、図面を参照して本発明を具体的に説明する。
図１はデジタル放送を受信して映像や音声を再生するテレビ機能を備えた携帯電話機として本発明を具体化した装置を例示するブロック図である。
【００１２】
携帯電話機：
携帯電話機としての機能は、アンテナ５９、電話用送受信回路２１、チャネルコーデック２２、音声コーデック２３、マイク５１、スピーカ５２、バイブレータ５３、入力装置５４、表示装置５５、及び、制御装置１０が受け持つ。
【００１３】
アンテナで受信された電話電波は、電話用送受信回路２１にて復調され、チャネルコーデック２２にて分解されて必要なチャネルの音声信号が取り出され、音声コーデック２３にてアナログ信号に変換され、スピーカ５２から音声として出力される。
マイク５１から入力された音声は、音声コーデック２３にてデジタル化され、制御装置１０からの制御信号とともにチャネルコーデック２２にてＴＤＭＡ（又はＣＤＭＡ）信号へ変換され、電話用送受信回路２１にて変調されて、アンテナ５９から送出される。
【００１４】
着信が検出されると、制御装置１０は報知音をスピーカ５２から出力し（通常モードの場合）、又は、バイブレータ５３を振動させる（マナーモードの場合）。
入力装置５４は、呼出相手先の電話番号の入力や、モードの設定、メールの入力等、携帯電話機として必要な種々の入力に用いられる。
表示装置５５は、着信／呼出相手先の電話番号の表示や、モードの表示、メールの表示等、携帯電話機として必要な種々の表示に用いられる。
【００１５】
テレビ視聴装置：
テレビ視聴装置としての機能は、アンテナ５９、テレビ用受信回路３１、デスクランブラ３２、デマルチプレクサ３３、デコーダ（例：ＭＰＥＧデコーダ）３４、音声処理回路３５、スピーカ５２、映像処理回路３６、表示装置５５、入力装置５４、バイブレータ５３、及び制御装置１０が受け持つ。
【００１６】
アンテナで受信されたテレビ電波は、テレビ用受信回路３１にて選局・復調・誤り訂正され、デスクランブラ３２にてスクランブルを解除されてトランスポートストリーム（ＴＳ）が取り出される。このトランスポートストリーム（ＴＳ）からデマルチプレクサ３３にて必要な番組のパケットが取り出され、更にサービスインフォメーション（ＳＩ）が取得され、クロックが再生される。取り出されたパケットは、デコーダ３４にて音声データと映像データに復号され、それぞれ、音声処理回路３５によりアナログの音声信号に変換されてスピーカ５２から音声として出力され、映像処理回路３６により表示装置５５に適合する走査フォーマットのアナログのビデオ信号に変換されて表示装置５５から映像として出力される。
【００１７】
ＣＭ終了時の報知：
図２は図１の携帯電話機に於いてＣＭ終了をバイブレータで報知する手順の一例を示すフローチャートである。
デマルチプレクサ３３は、トランスポートストリーム（ＴＳ）から当該番組のパケットを取り出し（Ｓ０１）、ヘッダ情報を解析するとともに、当該ヘッダ情報内のＰＳＩ（Program Specific Information）を解析して、コマーシャル（ＣＭ）開始・終了位置情報の有無を調べる（Ｓ１１）。
【００１８】
当該パケットにＣＭ終了位置情報が無い場合は（Ｓ１３でＮＯ）、ＴＳのヘッダ情報に基づいて、当該パケットからヘッダ情報を除いた残り部分をデータの種別（音声データ／映像データ／付加データ）毎にＰＥＳ（Packetized Elementary Stream）と呼ばれるデータ形式に変換して、制御装置１０へ渡す（Ｓ１９）。このＰＥＳのヘッダ情報には、ＰＴＳ（Presentation Time Stamp）と呼ばれるタイムスタンプが含まれており、各データの 再生時刻制御に用いられる。
その後、ステップＳ０１へ戻り、上記の処理を繰り返す。
【００１９】
一方、当該パケットにＣＭ終了位置情報が有る場合は（Ｓ１３でＹＥＳ）、当該終了位置を記憶し（Ｓ１５）、ＣＭ終了待ちフラグをオンし（Ｓ１７）、上記ステップＳ１９の処理を実行した後、ステップＳ０１へ戻り、上記の処理を繰り返す。
【００２０】
制御装置１０は、デマルチプレクサ３３から受け取ったＰＥＳ形式のデータ（音声データ／映像データ／付加データ）のヘッダ情報中のタイムスタンプを実時刻と比較し（Ｓ３１）、当該データ（音声データ／映像データ／付加データ）の再生時刻を過ぎるタイミングで（Ｓ３３でＹＥＳ）、当該データ（音声データ／映像データ／付加データ）をデコーダ３４へ渡す（Ｓ３５）。これにより、当該データに基づく再生音声／再生映像／再生付加情報が、スピーカ５２／表示装置５５から同期して出力される。
【００２１】
ステップＳ３７では、ＣＭ終了待ちフラグを参照する（Ｓ１７参照）。
その結果、ＣＭ終了待ちフラグがオフの場合は（Ｓ３９でＮＯ）、ステップＳ３１へ戻り、上記の処理を繰り返す。即ち、データ（音声データ／映像データ／付加データ）の同期出力を継続する。
【００２２】
ＣＭ終了待ちフラグがオンの場合は（Ｓ３９でＹＥＳ）、デマルチプレクサ３３がステップＳ１５で記憶したＣＭ終了位置と、制御装置１０がステップＳ３５でデコーダ３４へ渡したデータ（音声データ／映像データ／付加データ）の位置とを比較し（Ｓ４１）、デコーダ３４へ渡したデータ（音声データ／映像データ／付加データ）の位置がＣＭ終了位置に達するまで（Ｓ４３でＮＯ）、上記の処理を繰り返す。その後、デコーダ３４へ渡したデータ（音声データ／映像データ／付加データ）の位置がＣＭ終了位置に達すると（Ｓ４３でＹＥＳ）、バイブレータ５３を駆動する（Ｓ４５）。これにより、ＣＭの終了がユーザに報知される。さらに、ステップＳ４７でＣＭ終了待ちフラグをオフして、ステップＳ３１へ戻り、上記の処理を繰り返す。
このようにして、ＣＭの終了がユーザに報知される。なお、図１内に示すＣＭ位置検出機能１０１はステップＳ０１〜Ｓ１５及びＳ４１〜Ｓ４３により実現され、バイブレータ制御機能１０２はステップＳ４５により実現される。
また、上記はデジタル放送の場合の例であるが、アナログ放送の場合も、ＣＭ区間の検出方式をアナログ放送に適した方式に変えることで、同様に処理可能である。
【００２３】
ユーザ指定のＣＭの再生禁止：
図３は図１の携帯電話機に於いてＣＭの初期映像に基づいて再生を禁止／許容する手順の一例を示すフローチャートである。
制御装置１０は、常時、デコーダ３４により復号される映像データを監視している（Ｓ６１）。
【００２４】
ＣＭ映像が開始されると（Ｓ６３でＹＥＳ）、当該開始時刻から所定時間（例：数秒程度）分の映像データを、所定のメモリエリア（一時記憶エリア）に一時的に記憶する（Ｓ６５）。なお、ＣＭ映像の開始は、例えば、図２のステップＳ４１と略同様の手法により知ることができる。即ち、ＰＳＩの解析により取得したＣＭ開始位置をデマルチプレクサ３３が一時的に記憶しておき、これを、制御装置１０がデコーダ３４へ渡したデータ（音声データ／映像データ／付加データ）の位置と比較することで、知ることができる。
【００２５】
次に、一時記憶エリアの映像データを、不揮発性メモリの所定のエリア（再生禁止映像記憶エリア）に格納されている各映像データと比較する（Ｓ６７）。再生禁止映像記憶エリアには、ユーザにより再生禁止として指定済みの各ＣＭの開始初期所定時間分の映像データが格納されている（Ｓ８７参照）。
【００２６】
ステップＳ６７での比較の結果、今回のＣＭ映像と合致する既記録の再生禁止映像が有る場合は（Ｓ６９でＹＥＳ）、今回のＣＭ映像と音声の再生を禁止し（Ｓ７１）、再生禁止中フラグをオンして（Ｓ７３）、ステップＳ７５へ進む。
また、ステップＳ６７での比較の結果、今回のＣＭ映像と合致する既記録の再生禁止映像が無い場合は（Ｓ６９でＮＯ）、直ちに、ステップＳ７５へ進む。
【００２７】
ステップＳ７５では、ＣＭ映像の終了をチェックする。
ＣＭ映像が終了したとき（Ｓ７５でＹＥＳ）、再生禁止中フラグがオンの場合は（Ｓ７７でＹＥＳ）、前記ステップＳ７１で禁止した映像・音声・付加情報の再生を許可し（Ｓ７９）、再生禁止中フラグをオフして（Ｓ８１）、ステップＳ８３へ進む。
ＣＭ映像が終了したとき（Ｓ７５でＹＥＳ）、再生禁止中フラグがオフの場合は（Ｓ７７でＮＯ）、直ちに、ステップＳ８３へ進む。
【００２８】
ステップＳ８３では、当該終了したＣＭ区間に於いてＣＭ排除ボタンの押下操作（非再生を指示する操作入力）が検出されたか否かチェックし、検出された場合は（Ｓ８３でＹＥＳ）、前記ステップＳ６５で一時記憶エリアに記憶した今回のＣＭ映像の開始初期所定時間分の映像データを不揮発性メモリの所定の再生禁止映像記憶エリアに保存して、一時記憶エリアから削除する（Ｓ８７）。これにより、当該ＣＭが、次回以降のＣＭに於いて再生禁止ＣＭ映像の一つとして比較に供される（Ｓ６７参照）。
ＣＭ排除ボタンの押下が検出されなかった場合は（Ｓ８３でＮＯ）、前記ステップＳ６５で一時記憶した今回のＣＭ映像データを該一時記憶エリアから削除する（Ｓ８５）。
このようにして、ユーザがその好みにより排除したＣＭの再生が禁止される。なお、図１内に示すＣＭ禁止映像記憶機能１０５はステップＳ６３〜Ｓ６５及びＳ８３・Ｓ８７により、ＣＭ初期映像比較機能１０６はステップＳＳ６３〜Ｓ６９により、音声映像禁止機能１０７はステップＳ６９〜Ｓ７１により、それぞれ実現される。
また、上記は、ＣＭ開始初期の映像データの比較に基づく例であるが、音声データや付加データに基づいて同様に処理してもよい。また、ＰＥＳのヘッダ情報中等にＣＭの内容を一意に確定し得るデータが含まれているような場合は、当該データを利用してユーザ指定のＣＭを禁止するように制御してもよい。
【符号の説明】
【００２９】
１０  制御装置
２１  電話機用受信回路
２２  チャネルコーデック
２３  音声コーデック
３１  テレビ用受信回路
３２  デスクランブラ
３３  デマルチプレクサ
３４  デコーダ
５１  マイク
５２  スピーカ
５３  バイブレータ
５４  入力装置
５５  表示装置